(57)【要約】      （修正有）【課題】冬季においても成長を維持させながら植物を栽培できるミスト栽培温室装置を提供する。【解決手段】上部に培地部１７を、その下部に形成した空洞部内に液体噴射ノズル１６を配置して施肥室５を形成し、前記培地部１７に植えた植物Ｐの根部Ｒを前記施肥室５内に伸長させ、液状の肥料などを噴霧して成長させるミスト栽培装置２を配置した温室において、温室内の上層部と前記施肥室５との間に換気扇４を設けたダクト３を配置し、前記上層部の空気をダクト３を介して施肥室５に導入し、この施肥室５において空気中の水分を結露させるように構成した除湿機能付温室装置。【選択図】図２
2007061014.tif 000002
【特許請求の範囲】
【請求項１】
上部に培地部を、その下部に形成した空間部の内部に液体噴射ノズルを配置して施肥室を形成し、前記培地部に植えた植物の根部を前記施肥室に伸長させ、液状の肥料などを噴霧して成長させるようにした栽培装置を配置した温室において、
前記温室内の上層部と前記施肥室との間を結ぶダクトに有圧換気扇を配置し、前記上層部の空気をダクトを介して前記施肥室に導入し、この施肥室において空気中の水分を結露させるように構成した除湿機能付温室装置。
【請求項２】
前記ダクトの空気吸引部を温室の上層部の高温空気が集まる場所に配置し、温室内の高温多湿の空気を空気を吸引して前記施肥室内に導入することを特徴とする請求項１記載の除湿機能付温室装置。
【請求項３】
前記温室内の空気をダクト内に供給するための有圧換気扇を、前記温室内の３ｍの高さにおける温度が４１℃以上の時に作動させることを特徴とする請求項１記載の除湿機能付温室装置。
【請求項４】
前記温室の上層部よりダクト内に押込まれた空気は施肥室内において結露させ、その施肥室内で結露水を排出することを特徴とする請求項１記載の除湿機能付温室装置。
【請求項５】
上部に培地部を、その下部に形成した空間部の内部に液体噴射ノズルを配置して施肥室を形成し、前記培地部に植えた植物の根部を前記施肥室に伸長させ、液状の肥料などを噴霧して成長させるようにした栽培装置を温室内に配置すると共に、この温室に空気加熱装置を併設して冬季に暖房加熱するように構成した温室において、
前記施肥室内に電気発熱ヒーターを配置し、この電気発熱ヒーターにより低温時に根部を暖めるように構成した除湿機能付温室装置。
【請求項６】
上部に培地部を、その下部に形成した空間部の内部に液体噴射ノズルを配置して施肥室を形成し、前記培地部に植えた植物の根部を前記施肥室に伸長させ、液状の肥料などを噴霧して成長させるようにした栽培装置を配置した温室において
前記温室内を暖房する空気加熱装置と、肥料を加熱する加熱装置と、前記施肥室内の根部を暖めるための電気発熱ヒーターをそれぞれ配置し、
施肥室内に噴霧する肥料などの温度が、根部の成長を妨げる温度に低下する時期に、前前記空気加熱装置を作動させると共に前記肥料タンクの加熱装置と施肥室の電気発熱ヒーターを発熱させる共に、
前記温室内の温度を通常の暖房温度より約５℃程度低下させることを特徴とする植物のミスト栽培方法。
【請求項７】
外気温が１０℃以下であり、温室内の液状の肥料の温度が１０℃以下である時に、前記空気加熱装置と肥料の加熱装置と電気発熱ヒーターを発熱させることにより、施肥室の温度を約１８〜２２℃に保持し、温室内の温度を１５〜１６℃を目標に制御することを特徴とする請求項６記載の植物のミスト栽培方法。
【発明の詳細な説明】
【技術分野】
【０００１】
本発明は、温室内に配置した“ミスト栽培装置”を使用して植物を栽培するに際し、夏期の高温多湿時において湿度を植物の生育状況に対応して調節できる温室装置と、冬季の植物の成長が鈍る時の根部を積極的に暖めて冬季においても成長を維持させながら植物を栽培できる温室装置に関する。
【背景技術】
【０００２】
大地と自然環境に依存する従来の農業においては、大雨、台風、旱ばつ等の気象条件の問題、生産量と消費の好みに関係する農産物価格低下の問題、農産物の流通ルートの問題や農業就労人口の高齢化、更に企業の農業への参入などの各種の問題があることから、次第に農業は先細りになっている。
【０００３】
一方、スーパーやデパートの地下売場なとの生鮮野菜や魚介類などを大量に、タイムリーに必要とする需要先の成長すると共に、ニンジン、ジャガイモ、タマネギのような根菜類も勿論、キウリ、トマトのような果菜類、更にホウレンソウ、ニラ、小松菜、シソなどの葉菜類なども１年中栽培され、市場に供給される栽培技術（水耕栽培）が開発され、その技術の一部は野菜栽培工場として効率的に実施され、成長しつつある（例えば、特許文献１）。
【０００４】
また、根部が長く成長して効率的に肥料や水を吸収する植物、特に青ジソや茶などの根部が比較的長い場合には、肥料を液体にしてミスト状で供給するする、いわゆる“ミスト栽培”が提案されている（例えば、特許文献２、３）
【特許文献１】特開２００５−１２４４９４号公報
【特許文献２】特開２００３−２７４７７４号公報
【特許文献３】特開２００５−１９８５３７号公報
【発明の開示】
【発明が解決しようとする課題】
【０００５】
特許文献１に記載されているように栽培農業には、例えばイチゴのように無菌の栽培用土壌を使用したものが多いが、根部が長く成長する野菜のように根部が直接、培地（土壌）中に長く延びて成長できる、成長を阻害しない培地の開発が必要である。また、培地は必要とする肥料や水分を蓄える性質を持ち、肥料などの供給方法にも問題がある。
【０００６】
特許文献２は、初期の植物の育成に必要な少量の培地しか使用せず、根部に肥料を直接ミスト状にして供給する、いわゆる“ミスト栽培法”であり、この方法は植物が必要とする量の肥料や空気を根部に、集中して、直接に与えることができる点において、前記特許文献１に記載された水耕栽培方法とは本質的に相違している。
【０００７】
ところで、このミスト栽培法においては、その植物に必要な肥料を、必要な量で、必要とする時期に正確に根部に供給できる点において、根腐れ問題や害虫問題など各種の問題を解消でき、更に、管理された清潔な環境において野菜などを工業的に生産できる。
【０００８】
特に青ジソの葉に含まれている成分（ペリルアルデヒド）は、抗菌作用や消臭作用、更に血液の粘性低下の作用を持っている。そしてその成分を含むが故に経済的にも大きな価値を持っており、この青ジソをミスト栽培法によって大量栽培されている。なお、この青ジソの栽培には例えば、前記特許文献３に記載された方法、あるいはこれを改良した方法が採用されている。
【０００９】
ミスト栽培装置を説明すると、枠型の架台を組み、この架台の周囲をテントなどに使用するようなシートで覆って架台の内部に空洞部ないし閉鎖された空間を形成し、この架台の上に薄形の培地容器を配置し、この容器内に培地を敷き、この培地に青ジソの苗を植付けて栽培すると、その根部は次第に薄い培地を貫いて下方に伸びる。架台の周囲はシートで覆われて空洞部、即ち、閉鎖空間を形成しており、この空洞部のその上方には２〜４本の液状の肥料を噴霧するスプレー管が配置されて施肥室が形成されている。
【００１０】
そして青ジソの成長と共にその根部は前記架台の内部の空洞部内の上下方向に、あたかも林のように延びて成長するが、その根部に対して無菌状態で、有機肥料や水が所定のタイミングで噴霧状ないしシャワー状に付与されるように構成されている。
【００１１】
ところで、青ジソは葉が商品であり、従って、葉の面積が大きく、かつ全体が均一な薄緑色で、部分的な変色がない上に虫食いなどがなく、綺麗で見栄えの良く、しかも食することかできるように柔らかいことが重要である。
【００１２】
ところで、この青ジソの病気として考えられるものは、ａ）青枯病、ｂ）さび病、ｃ）斑点病（葉に褐色〜黒色の小さな斑点ができる。）、ｄ）そうか病、ｅ）灰色かび病などがある。また、害虫も大きな問題である。害虫の種類としてはアザミウマ類、アブラムシ類、カンザワハダニ、コナジラミ類などである。
【００１３】
前記各種の病気や害虫の問題は、一般的には植物が圃場で直接に栽培されることから、気温の変化や太陽光線を受ける時間の長短や強さ、風雨などの各種の問題がある上に、前記のように害虫の攻撃にさらされることが大きく関係している。
【００１４】
そこで、これらの病気や害虫の問題を一挙に解決する方法として、肥料や病原菌に対する管理が十分に行なえる前記ミスト栽培法が開発され、工業的に実施されているわけであるが、これにもなお問題がある。
【００１５】
（高温多湿の問題点）
温室内にミスト栽培装置を設置し、噴霧室において根部に直接、液状肥料をミスト状に噴霧する方法を採用しているので、特に夏期においては噴霧装置内の湿度が上昇することは防ぐことができない。温室が太陽光線を浴びて室内が高温に暖められるが、室温と共に湿度が上昇し、時には９０％を越える状態になる。そしてこの昼間において、高温の空気中に含まれていた水分は、太陽が陰ったり、夜間になると昼間に空気内に含まれていた水分は室温の低下と共に結露することになる。
【００１６】
例えば、青ジソの場合、７〜８月の高温になる季節には急成長する。そして、その成長の際に大量の葉から大量の水分を放出し、これが湿度の上昇の原因となっている。そしてこの高温多湿の雰囲気は病気の原因ともなっている。つまり、空気中の水分が結露する時は、室温より低温の箇所であり、特に植物の葉の部分である。青ジソの場合は、葉の面積が広く、そして柔らかい。また、葉同志が重なり合っていることから葉の表面に水分を保有し易く、そしてこの水分を保有した状態で高温に保持されていると前記病気が発生するのである。
【００１７】
図１０は、気温（℃）と飽和蒸気量（ｇ／ｍ3 ）との関係を示すグラフであるが、例えば１０℃の室温の飽和蒸気は１０ｇの水分を含み、１５℃〜１３ｇ、２０℃〜１７ｇ、２５℃は２３ｇ、３０℃〜３０ｇ、４０℃〜５０ｇ、５０℃〜８４ｇもの水分を含んでいることが分かる。つまり、温室が太陽で暖められた状態の閉鎖空間、特に温室の上層部においては高温であり、湿度のわりに水分量が大きい。この水分量を多く含む空気が冷却されると次第に湿度か増加し、余剰の水分が結露することになるのである。
【００１８】
（夏期の植物の病気）
この比較的高温多湿の雰囲気は特に青ジソのように葉の成長が早く、しかも柔らかであると共に水分を多量に発生する植物においては、前記のように各種の病気を発生して葉の品質つまり商品価値を低下させることになるので、高温・多湿の雰囲気を可能な限り回避する必要がある。
【００１９】
（従来の高温時における温室の温度低下方法）
ところで、温室内の湿度を低下させる一般的な方法としては、温室の天井部に設けられた排気ファンによって温室内の空気を排気し、その排気分だけ外気を入れて温室内の温度と湿度の低下を計っている。しかし、この排気方法は、外気が湿度を多く含んでいる場合は、温室内の空気が含んでいる水分を積極的に除去するものではなく、効果的に温室内の湿度を低下させることができないのが現状である。
【００２０】
（ミスト栽培の特徴と温室内の湿度低下）
ところで、ミスト栽培においては、温室内の地面に大量のミスト栽培装置が置かれており、これが低温部分を構成することになる。図１０に示す飽和蒸気線図を検討すると、例えば、５０℃の空気を２０℃程度まで低下させた場合は、その空気から排出される水分量は６６ｇ程度にもなる。
【００２１】
従って、ミスト栽培装置の施肥室（低温部）内に、温室の上層部に存在している高温かつ多湿の空気を、その内部に肥料が噴霧されて温度が低下している施肥室に導入することによって空気中の水分を積極的に結露させ、分離することが可能であり、当然、その分離された水分だけ温室内の湿度を低下させることが可能である。
【００２２】
繰り返しになるが、温室内の湿度が異常に高いと、栽培中の柔らかい葉に青枯病やさび病、更に斑点病やベト病などを発生し易い。そしてこれが発生すると温室全体に蔓延し、温室内全体の青ジソの葉の品質が低下し、遂には壊滅状態となることもある。しかし、従来は、前記したように温室内の高温の空気を排気したり天井部を開放することで水分を排出する方法しか手段がなかったのである。しかし、この方法は、排気と共に外気を交換することになり、外気と共に水分を温室内に呼び込むことになり、積極的な湿度の低下方法にはならない。
【００２３】
本発明は、夏期におけるハウス内の高湿度に起因する植物の病気などの問題を解決し、良品質の植物を効率的に栽培する温室装置を提供することを目的とするものである。
【００２４】
（根部冷却による成長抑制の問題）
冬季にも植物を栽培する温室の場合は、灯油を燃焼させて加熱空気をつくり、この加熱空気を温室内に放出して室温を上昇する方法が一般的に採用されている。この場合、加熱空気量を低下させる意味で温室を横断して幕を張って温室を上下に二分してその体積を減少させ、それに応じて加熱空気の供給量を低下させ、それに伴なって加熱空気に使用する灯油な量を減少し、ひいては温室栽培のコストの低下を図ることが実施されている。
【００２５】
ところで、ミスト栽培方法においては、根部に肥料や水を噴霧状で与えているので、この噴霧により蒸発潜熱などの原因で熱が奪われ、根部を冷やす一因ともなっている。現実のミスト栽培装置においては、この噴霧により根部が温室内の温度より３〜５℃は低下することが確認されている。
【００２６】
特に冬季は植物の成長が停止し、枯渇する時期であり、前記のように温室内を灯油を使用して温室内を暖房しても、温室内全体を必要とする温度に保持することが困難である。特に、肥料を噴射して根部に施肥することから施肥室内の温度低下を阻止することができず、そのことが起因して植物の成長能力の低下により成長が著しく低下してしまうことになる。
【００２７】
（発明の目的）
本発明の第１の目的は、ミスト栽培の“夏期”の、特に昼間の温室内の高温の空気に多量の水分が含まれており、これが室温の低下と共に結露することにより、植物に必要以上の水分を付与することになる。
【００２８】
例えば「幅が３０ｍ、長さが６０ｍ、高さが７ｍの温室」の場合、容積は５０００ｍ3 であり、この内部の空気が４５℃である場合は約２７５リットル（ドラム缶一本より多い。）の水分を保有している。
【００２９】
このように高温の雰囲気における過剰水分が原因となって、特に、柔らかい葉物の植物に病気が発生する原因を効果的に解決することにある。
本発明の第２の目的は、室温が低い時、特に冬季における噴霧室内で根部が冷却されて肥料の吸収力を低下させ、その結果、根部の成長を妨げ、ひいては植物の成長を阻止することを抑制する方法を提供することにある。
【００３０】
また、根部を暖めることによって、この根部より隔離された雰囲気内に位置している葉部の温度、つまり温室内の温度を通常の温度である２０℃より５℃程度を低下させることを目的としている。
【００３１】
温室内の温度の低下は、暖房の際の燃料消費量に大きく関係するものであり、冬季における温室内の温度を２０℃より５℃程度低下させると、灯油に使用する費用を約５０〜６０％程度節減することができる。
【課題を解決するための手段】
【００３２】
前記目的を達成するための本発明に係る湿度調節機能付温室装置の構成は次の通りである。
１）上部に培地部を、その下部に形成した空間部の内部に液体噴射ノズルを配置して施肥室を形成し、前記培地部に植えた植物の根部を前記施肥室に伸長させ、液状の肥料などを噴霧して成長させるようにした栽培装置を配置した温室において、
前記温室内の上層部と前記施肥室との間を結ぶダクトに有圧換気扇を配置し、前記上層部の空気をダクトを介して前記施肥室に導入し、この施肥室内で空気中の水分を結露させるように構成した点を特徴としている。
【００３３】
２）前記ダクトの空気吸引部を温室の上層部の高温空気が集まる場所に配置し、温室内の高温多湿の空気を空気を吸引して前記施肥室内に導入することを特徴としている。
３）前記温室内の空気をダクト内に供給するための有圧換気扇を、前記温室内の３ｍの高さにおける温度が４１℃以上の時に作動させることを特徴としている。
【００３４】
４）前記温室の上層部よりダクト内に押込まれた空気は施肥室内において結露させ、その施肥室内で結露水を排出することを特徴としている。
５）本発明に係る除湿機能付温室装置は、上部に培地部を、その下部に形成した空間部の内部に液体噴射ノズルを配置して施肥室を形成し、前記培地部に植えた植物の根部を前記施肥室に伸長させ、液状の肥料などを噴霧して成長させるようにした栽培装置を温室内に配置すると共に、この温室に空気加熱装置を併設して冬季に暖房加熱するように構成した温室において、前記施肥室内に電気発熱ヒーターを配置し、この電気発熱ヒーターにより低温時に根部を暖めるように構成したことを特徴としている。
【００３５】
６）上部に培地部を、その下部に形成した空間部の内部に液体噴射ノズルを配置して施肥室を形成し、前記培地部に植えた植物の根部を前記施肥室に伸長させ、液状の肥料などを噴霧して成長させるようにした栽培装置を配置した温室において、
前記温室内を暖房する空気加熱装置と、肥料を加熱する加熱装置と、前記施肥室内の根部を暖めるための電気発熱ヒーターをそれぞれ配置し、
施肥室内に噴霧する肥料などの温度が、根部の成長を妨げる温度に低下する時期に、前前記空気加熱装置を作動させると共に前記肥料タンクの加熱装置と施肥室の電気発熱ヒーターを発熱させる共に、前記温室内の温度を通常の暖房温度より約５℃程度低下させることを特徴とする植物のミスト栽培方法。
【００３６】
７）外気温が１０℃以下であり、温室内の液状の肥料の温度が１０℃以下である時に、前記空気加熱装置と肥料の加熱装置と電気発熱ヒーターを発熱させることにより、施肥室の温度を約１８〜２２℃に保持し、温室内の温度を１５〜１６℃を目標に制御することを特徴としている。
【００３７】
本発明に係るミスト栽培装置を設けた温室装置は、温室の上層部の高温・多湿の空気を低温部である施肥室内に導入して通過させることによって結露させ、空気中の水分含有量を次第に低下させるものであり、いわば、高効率の除湿機能を持つ温室装置を提供するものである。
【００３８】
また、ミスト栽培装置の欠点である、冬季における収穫量の減少と暖房費の高騰の問題を解決するために、根部を加熱すると共に、暖房する空気の温度を通常の温度より低下させることによって暖房費の経済性を図るものである。
【発明を実施するための最良の形態】
【００３９】
次に、図面を参照して本発明の実施の形態を説明する。
図１は、本発明の温室の湿度低減方法の概念を示すものであって、鉄骨やアルミ型材を使用した構造物に透明ないし半透明なプラスチック板を全面的に使用した温室１であって、屋根面の一部を開放可能として高温時の温室（例えば、幅が３０ｍ、長さが６０ｍ、高さが７ｍ）内の温度を調節できるようにしている。そしてこの温室の底部に「ミスト栽培装置２が複数基設置されている。
【００４０】
このミスト栽培装置２にはダクト３（薄い合成樹脂パイプや金属パイプなど）が接続され、温室１の上層部１ａまでこのダクト３が延長され、このダクト３に取付けられた換気扇（有圧換気扇）４（例えば、１０リットル／分程度の小型のもの）によって温室の上層部１ａの高温多湿の空気を吸引して温室の床面に配置されている前記ミスト栽培装置２に案内するように構成されている。
【００４１】
図２は、ミスト栽培装置２を示す斜視図であって、その栽培装置２の主体部に空洞部からなる施肥室５（図示の都合上、開放部があるように見えるが、周囲は厚手のシートなどで閉鎖した空間を形成している。）が形成されている。
【００４２】
この施肥室５には各種の構造のものが採用されるが、例えば、図６に示すように下部支持材６と上部支持材７を、支柱８によって所定の間隔をおいて接続して枠体９を形成している。そして前記下部支持材６の上に下部容器１０が、上部支持材７の上に上部容器１５がそれぞれ支持されている。
【００４３】
下部容器１０の上には電気加熱式の面状ヒーター１３（この実施例の場合、本出願人が製造販売している商品名：プラヒート）が、冬季に植物の根部を暖房するために敷かれている。そしてこの面状ヒーター１３の上にシート１４を敷き、このシート１４の上に図２に示すダクト３の水平部３ａを載置している。
【００４４】
前記施肥室５内の上方には複数本のスプレーノズル１６が配置され、これより植物の根部に養分などを調整された液状の肥料が噴霧されるようになっている。
【００４５】
また、上部支持材７の上に上部容器１５が支持され、この上部容器１５内には図示しない透水性網状物などを敷き、その上に培地１７を敷いている。そして上部容器１５と下部容器１０との間の側面を厚手の非透水性シート１８で覆い、施肥室５を一個の閉鎖された空間に形成し、根部に雑菌が侵入することを防止している。
【００４６】
図２に示すように、培地１７には青ジソ（大葉）などの植物Ｐが植えられ、前記施肥室５内に根部Ｒを伸ばし、この根部Ｒに対してスプレーノズル１６よりその植物の性質に合わせて調節された肥料が噴霧状態で、適宜、適量だけ管理された状態で供給されるようになっている。
【００４７】
図３と図４は、ミスト栽培装置２Ａを示す横断面図と側断面図であって、図６で説明した同様な部材に（Ａ）を付けて図示している。
【００４８】
図１０の飽和水蒸気線図を参照すると理解できるように、４５℃の湿度が１００％の空気の場合には、６５ｇ／ｍ3 の水分を含有している。しかし、これが２５℃の湿度が１００％の空気となった場合には２３ｇ／ｍ3 の水分となり、その差である４２ｇ／ｍ3 もの水分が排出できることになる。
【００４９】
温室１の上部に高温部が、また、地面近傍に低温部が存在すれば、高温部の空気を低温部までダクトで移送し、この低温部においてこのダクトの外側からスプレーノズルなどの水噴射手段によって温度を下げることによって、高温空気に含まれていた水分の多くを結露させ、これを排除することができるのである。従って、この水分が排出され、乾燥した空気を温室内で循環させることによって、温室内の湿度を急速に低下させることができるのである。
【００５０】
前記のようにして温室内の湿度を積極的に低下させることができ、植物に水分による悪影響を格段に改善し、病気のない植物、特に面積が大きく、柔らかく、更に色彩に優れた葉を持つ植物（特に青ジソなど）の品質を保ちながら、大量生産することができるものである。
【００５１】
前記説明は、夏期の高温多湿の状態の温室内の湿度の調節方法についてのものであるが本発明は、更に冬季にも植物を効率的に栽培できる温室装置を提供している。
【００５２】
図６においては、下部容器１０の上面に沿って電気発熱式の面状ヒーター１３を配置しており、スプレーノズル１６から噴射される肥料ミストによって施肥室５内に伸長する根分が冷却されるが、この冷却された分以上に、このヒーター１３によって加熱し、根部の温度を高めて成長を促し、冬季においても効果的にミスト栽培を実施することができる。
【００５３】
図７は、図６の装置の変形であって、面状ヒーター１３を植物の根部に平行するように縦方向に配置して効率的に根部を加熱するようにている。このように面状ヒーター１３を縦方向に配置することによって、根部に対して効率的に熱（遠赤外線）を与えることができるのである。
【００５４】
図８は、ダクトを簡略化した温室３０の正断面図、図９は同横断面図である。この温室３０の内部の天井部には換気扇３１（誘圧ファン）と、大型のダクト３２と、ヘッダー３３を配置し、このヘッダー３３に複数本の小径のダクト３４を接続し、このダクト３４の下部をミスト栽培装置２の施肥室５内に図４に示すように延長させており、この延長部分に肥料噴霧をあてて冷却して空気中の水分を結露させるように構成している。
【００５５】
また、図９に示すように温室３０の屋根部分には開閉板が設けられ、温室３０内の温度が異常に高温となった場合に、その自然の空気流で高温に加熱された空気を排出するように構成されたものを示している。
【００５６】
（温室内の温度制御の重要性について）
本発明に係る湿度調節機能を持つ温室に関する技術的思想と利点を纏めると次のようになる。
【００５７】
第１点：冬季においては、好ましくは夜間電力を使用して面状ヒーターを発熱させ、約２０℃程度まで施肥室５内の温度を昇温させることによって、根部を加熱することによって冬季においても植物の成長を持続できる。
【００５８】
第２点：夏期においては、温室の３ｍ以上の部位に存在する高温の空気を、２３℃程度の温度に調整されている施肥室内に、ダクトやチューブ（薄い合成樹脂チューブ）で導入することによって、この施肥室５内で空気中の水分を結露させ、温室内の湿度を効率的に低下させる。
【００５９】
第３点：前記第２点の操作は、冬季の昼間の温かい時にも応用する。
第４点：冬季は植物の根部を加熱して低温障害から保護し、その成長を停止させることなく、収量の増加を図ることができる。
【００６０】
第５点：冬季においては、施肥室５内に伸びる根部Ｒを暖めてその根部Ｒの細胞の活性化を図り、寒い時期にもかかわらず、植物の成長を維持促進できる。
更に、この根部を暖めることによって、植物の茎や葉の部分と共に、温室内の温度を、少なくとも５℃は低下させることができる。例えば、２０℃程度の温度に暖房されている温室において、温度を前記２０℃から５℃低下させた場合、この温度低下は暖房用燃料である灯油の使用量にも大きく影響して、暖房経費を大きく低下させることになる（約５０〜６０％も大幅に低減できる）。
【表１】
2007061014.tif 000003
注：最も高さの高い部分（三角部分）が７ｍの温室において、地面から０ｍ〜６ｍ６ｍまでの距離における、ａ）冬季と夏期、ｂ）夜間と昼間における、温室の温度の制御目標値を示したものである。
【００６１】
このように制御することによって夏期においては湿度を空気中の湿度を低下させる効果がある。
また、冬季においては植物の根部を暖め、この根部を冬季においても成長を停止させることなく、栽培を可能にして効率を上げる。
【００６２】
この根部の加熱により、温室内の温度を約５℃程度低下させても植物に実質的に低温の影響を与えることがなく、従って、この温室内を暖房するための灯油の消費量を大幅に低減できるのである。
【図面の簡単な説明】
【００６３】
【図１】温室の断面図である。
【図２】温室に設置するダクトを併設したミスト栽培装置の斜視図である。
【図３】図２に示したミスト栽培装置の横断面図である。
【図４】図３の側断面図である。
【図５】図２に相当するミスト栽培装置の横断面図である。
【図６】現実に使用しているミスト栽培装置の横断面図である。
【図７】図６の変形のミスト栽培装置の横断面図である。
【図８】温室の横断面図である。
【図９】図８に示す温室の正断面図である。
【図１０】温度の飽和水蒸気量との関係を示すグラフである。
【符号の説明】
【００６４】
１  温室      １ａ  上層部        １ｂ  下層部
２  ミスト栽培装置      ３  ダクト（なるべく簡略化したもの）
３ａ  ダクトの水平部  
４  換気扇      ５  施肥室        ６  下部支持材      ７  上部支持材
８  支柱        ９  枠体          １０  下部容器      １１  上部容器
１３  面状ヒーター      １４  シート      
１６  肥料スプレーノズル      １７  培地          １８  非透水性シート                                                                                        
【図１】
2007061014.tif 000004
【図２】
2007061014.tif 000005
【図３】
2007061014.tif 000006
【図４】
2007061014.tif 000007
【図５】
2007061014.tif 000008
【図６】
2007061014.tif 000009
【図７】
2007061014.tif 000010
【図８】
2007061014.tif 000011
【図９】
2007061014.tif 000012
【図１０】
2007061014.tif 000013